(57)【要約】【課題】視聴者に対する視覚的効果を与えることができる画像コンテンツを容易に作成することができるコンテンツ素材を配信すること。【解決手段】ユーザの携帯電子機器にダウンロードされることにより、携帯電子機器の画面上に表示されるコンテンツ素材を配信するコンテンツ配信装置は、画像コンテンツの構成要素として他のコンテンツ素材と重畳して画面上に表示されるコンテンツ素材であって、画像コンテンツの視聴者に対する視覚的効果を与えるべく、変形しながら、画面上に表示されるコンテンツ素材を配信するコンテンツ配信部を備える。【選択図】図２
2010231446.tif 000002
【特許請求の範囲】
【請求項１】
ユーザの携帯電子機器にダウンロードされることにより、前記携帯電子機器の画面上に表示されるコンテンツ素材を配信するコンテンツ配信装置であって、
画像コンテンツの構成要素として他の前記コンテンツ素材と重畳して前記画面上に表示される前記コンテンツ素材であって、前記画像コンテンツの視聴者に対する視覚的効果を与えるべく、変形しながら、前記画面上に表示される前記コンテンツ素材を配信するコンテンツ配信部を備える
コンテンツ配信装置。
【請求項２】
前記コンテンツ配信部は、
変形しながら前記画面上に表示される前記コンテンツ素材として、点滅しながら前記画面上に表示される前記コンテンツ素材を配信する
請求項１に記載のコンテンツ配信装置。
【請求項３】
前記コンテンツ配信部は、
変形しながら前記画面上に表示される前記コンテンツ素材として、拡縮しながら前記画面上に表示される前記コンテンツ素材を配信する
請求項１に記載のコンテンツ配信装置。
【請求項４】
前記コンテンツ配信部は、
変形しながら前記画面上に表示される前記コンテンツ素材として、鋭角な突起部を有する前記コンテンツ素材を配信する
請求項１から請求項３のいずれかに記載のコンテンツ配信装置。
【請求項５】
前記コンテンツ配信部は、
変形しながら前記画面上に表示される前記コンテンツ素材として、前記突起部を伸縮させながら前記画面上に表示される前記コンテンツ素材を配信する
請求項４に記載のコンテンツ配信装置。
【請求項６】
ユーザの携帯電子機器にダウンロードされることにより、前記携帯電子機器の画面上に表示されるコンテンツ素材を配信するコンテンツ配信方法であって、
画像コンテンツの構成要素として他の前記コンテンツ素材と重畳して前記画面上に表示される前記コンテンツ素材であって、前記画像コンテンツの視聴者に対する視覚的効果を与えるべく、変形しながら、前記画面上に表示される前記コンテンツ素材を配信するコンテンツ配信段階を備える
コンテンツ配信方法。
【請求項７】
ユーザの携帯電子機器にダウンロードされることにより、前記携帯電子機器の画面上に表示されるコンテンツ素材を配信するコンテンツ配信装置用のプログラムであって、コンピュータを、
画像コンテンツの構成要素として他の前記コンテンツ素材と重畳して前記画面上に表示される前記コンテンツ素材であって、前記画像コンテンツの視聴者に対する視覚的効果を与えるべく、変形しながら、前記画面上に表示される前記コンテンツ素材を配信するコンテンツ配信部
として機能させるプログラム。
【発明の詳細な説明】
【技術分野】
【０００１】
本発明は、コンテンツ配信装置、コンテンツ配信方法、およびプログラムに関する。
【背景技術】
【０００２】
特許文献１には、携帯電話用の待ち受け画面、メニュー画面などの画像コンテンツを携帯電話へ配信するコンテンツ配信システムが記載されている。
【特許文献１】特開２００６−１９１５１１号公報
【発明の開示】
【発明が解決しようとする課題】
【０００３】
しかしながら、上記技術では、携帯電話のユーザは、携帯電話用の画像コンテンツを作成することができないので、携帯電話の待ち受け画面、メニュー画面を、予め携帯電話に格納されている画像コンテンツ、または、画像コンテンツの配信業者から配信された画像コンテンツのいずれかにしか、変更することができない。そこで、複数のユーザが互いに携帯電話の差別化を図ることができるように、携帯電話の待ち受け画面、メニュー画面などに用いることが可能な視覚的効果の高い画像コンテンツをユーザに作成させることが可能なシステムが望まれている。
【課題を解決するための手段】
【０００４】
上記課題を解決するために、本発明の第１の態様のコンテンツ配信装置は、ユーザの携帯電子機器にダウンロードされることにより、携帯電子機器の画面上に表示されるコンテンツ素材を配信するコンテンツ配信装置であって、画像コンテンツの構成要素として他のコンテンツ素材と重畳して画面上に表示されるコンテンツ素材であって、画像コンテンツの視聴者に対する視覚的効果を与えるべく、変形しながら、画面上に表示されるコンテンツ素材を配信するコンテンツ配信部を備える。
【０００５】
上記コンテンツ配信装置において、コンテンツ配信部は、変形しながら画面上に表示されるコンテンツ素材として、点滅しながら画面上に表示されるコンテンツ素材を配信してもよい。
【０００６】
上記コンテンツ配信装置において、コンテンツ配信部は、変形しながら画面上に表示されるコンテンツ素材として、拡縮しながら画面上に表示されるコンテンツ素材を配信してもよい。
【０００７】
上記コンテンツ配信装置において、コンテンツ配信部は、変形しながら画面上に表示されるコンテンツ素材として、鋭角な突起部を有するコンテンツ素材を配信してもよい。
【０００８】
上記コンテンツ配信装置において、コンテンツ配信部は、変形しながら画面上に表示されるコンテンツ素材として、突起部を伸縮させながら画面上に表示されるコンテンツ素材を配信してもよい。
【０００９】
なお、上記の発明の概要は、本発明の必要な特徴の全てを列挙したものではない。また、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、実施形態に係るコンテンツ配信システム１０の一例を示す。コンテンツ配信システム１０は、携帯電話１２０およびコンテンツ配信サーバ１００を備える。
【００１２】
コンテンツ配信サーバ１００は、インターネット、パケット交換網などのネットワーク１３０に接続されている。コンテンツ配信サーバ１００は、コンテンツ素材を、携帯電話１２０へ配信するコンテンツ配信装置として機能する。コンテンツ素材とは、アイコン、ボタン、背景、図形、文字、写真など、画像コンテンツの構成要素である。たとえば、コンテンツ素材は、ユーザの携帯電子機器の一例としての携帯電話１２０にダウンロードされることにより、携帯電話１２０の画面上に表示される。具体的には、コンテンツ素材は、画像コンテンツの構成要素として他のコンテンツ素材と重畳して携帯電話１２０の画面上に表示される。
【００１３】
また、コンテンツ配信サーバ１００は、画像コンテンツを、携帯電話１２０へ配信するコンテンツ配信装置として機能する。たとえば、コンテンツ配信サーバ１００は、画像コンテンツの一例としての着せ替えコンテンツを、携帯電話１２０へ配信する。着せ替えコンテンツとは、背景、アイコン、ボタンなどの携帯電話１２０の画面を構成する複数のコンテンツ素材がパッケージ化された画像コンテンツであって、たとえば、携帯電話１２０は、着せ替えコンテンツを用いて、画面の構成要素を一斉に取り替えることにより、画面のデザインを、統一感のあるデザインに変更することができる。
【００１４】
携帯電話１２０は、画像コンテンツおよびコンテンツ素材を表示する。携帯電話１２０は、コンテンツ配信サーバ１００からダウンロードした画像コンテンツを、当該携帯電話１２０の待ち受け画面、メニュー画面として用いることができる。また、携帯電話１２０は、画像コンテンツを作成および加工する画像コンテンツ作成装置としても機能する。
【００１５】
携帯電話１２０は、ネットワーク１３０へ接続することができる。これにより、携帯電話１２０は、コンテンツ配信サーバ１００から、画像コンテンツおよびコンテンツ素材を取得することができる。また、携帯電話１２０は、コンテンツ配信サーバ１００に対して、画像コンテンツおよびコンテンツ素材を投稿することができる。
【００１６】
たとえば、携帯電話１２０は、コンテンツ配信サーバ１００から、コンテンツ素材を取得する。そして、携帯電話１２０は、取得したコンテンツ素材を用いて、画像コンテンツを作成する。さらに、携帯電話１２０は、作成した画像コンテンツをコンテンツ配信サーバ１００へ投稿する。
【００１７】
他の例では、携帯電話１２０は、コンテンツ配信サーバ１００から、コンテンツ素材および画像コンテンツを取得する。そして、携帯電話１２０は、取得したコンテンツ素材を用いて、取得した画像コンテンツを加工する。さらに、携帯電話１２０は、加工された画像コンテンツをコンテンツ配信サーバ１００へ投稿する。
【００１８】
なお、本実施形態では、ユーザの携帯電子機器の一例として、携帯電話１２０を用いて説明するが、これらに限らず、コンテンツおよびコンテンツ素材を表示することができる、パーソナル・コンピュータ、ＰＤＡ、ゲーム機などであってもよい。
【００１９】
図２は、コンテンツ配信サーバ１００の機能構成の一例を示す。コンテンツ配信サーバ１００は、コンテンツ受信部２０２、コンテンツ登録部２０４、配信要求受信部２０６、コンテンツ取得部２０８、コンテンツ配信部２１０、記憶部２８０、および通信Ｉ／Ｆ部２９０を備える。
【００２０】
コンテンツ受信部２０２は、コンテンツ素材を受信する。たとえば、コンテンツ受信部２０２は、コンテンツ素材を作成した外部の情報処理装置から、通信Ｉ／Ｆ部２９０を介して、作成されたコンテンツ素材を受信する。
【００２１】
また、コンテンツ受信部２０２は、コンテンツを受信する。たとえば、コンテンツ受信部２０２は、コンテンツを作成した携帯電話１２０から、通信Ｉ／Ｆ部２９０を介して、作成されたコンテンツを受信する。
【００２２】
コンテンツ登録部２０４は、コンテンツ受信部２０２によって受信されたコンテンツ素材を記憶部２８０に登録する。また、コンテンツ登録部２０４は、コンテンツ受信部２０２によって受信されたコンテンツを記憶部２８０に登録する。なお、コンテンツ配信サーバ１００は、コンテンツ素材およびコンテンツの少なくともいずれかを作成するコンテンツ作成部をさらに備えてもよく、この場合、コンテンツ登録部２０４は、コンテンツ作成部によって作成されたコンテンツ素材またはコンテンツを記憶部２８０に登録してもよい。
【００２３】
配信要求受信部２０６は、コンテンツの配信要求を受信する。また、配信要求受信部２０６は、コンテンツ素材の配信要求を受信する。たとえば、配信要求受信部２０６は、携帯電話１２０から、通信Ｉ／Ｆ部２９０を介して、コンテンツの配信要求またはコンテンツ素材の配信要求を受信する。たとえば、これらの配信要求は、コンテンツ購入者が携帯電話１２０を利用してコンテンツまたはコンテンツ素材を購入する場合に、携帯電話１２０から送信される。
【００２４】
コンテンツ取得部２０８は、配信要求受信部２０６によって受信されたコンテンツの配信要求に基づいて、配信が要求されたコンテンツを、記憶部２８０から取得する。また、コンテンツ取得部２０８は、配信要求受信部２０６によって受信されたコンテンツ素材の配信要求に基づいて、配信が要求されたコンテンツ素材を、記憶部２８０から取得する。
【００２５】
コンテンツ配信部２１０は、コンテンツ取得部２０８によって記憶部２８０から取得されたコンテンツを配信する。また、コンテンツ配信部２１０は、コンテンツ取得部２０８によって記憶部２８０から取得されたコンテンツ素材を配信する。たとえば、コンテンツ配信部２１０は、配信要求受信部２０６が受信した配信要求の送信元の携帯電話１２０へ、通信Ｉ／Ｆ部２９０を介して、コンテンツまたはコンテンツ素材を配信する。
【００２６】
コンテンツ配信部２１０は、画像コンテンツの視聴者に対する視覚的効果を与えるべく、変形しながら、画面上に表示されるコンテンツ素材を配信する。本実施形態では、コンテンツ配信部２１０は、画像コンテンツの注目度を高めるための金属的な光沢感（いわゆる、キラキラ感）を上記視覚的効果として与えるべく、変形しながら画面上に表示されるコンテンツ素材を配信する。たとえば、本実施形態では、コンテンツ配信部２１０は、金属的な光沢感を与えるべく変形しながら画面上に表示されるコンテンツ素材の一例として、複数の突起部を有する星型のコンテンツ素材であって、拡縮、点滅、または伸縮しながら画面上に表示されるコンテンツ素材を配信する。
【００２７】
変形しながら画面上に表示されるコンテンツ素材は、形状が異なる複数の画像を含んでいるコンテンツ素材であってもよい。この場合、携帯電話１２０は、形状が異なる複数の画像を順次切り替えて表示することで、画像コンテンツの視聴者に対する視覚的効果を与えるべく、変形させながら、コンテンツ素材を画面上に表示してもよい。
【００２８】
変形しながら画面上に表示されるコンテンツ素材は、点滅しながら画面上に表示されるコンテンツ素材であってもよい。たとえば、コンテンツ素材が表示されない非表示画像と、コンテンツ素材が表示される表示画像とを含んでいるコンテンツ素材であってもよい。この場合、携帯電話１２０は、非表示画像と表示画像とを順次切り替えて表示することで、画像コンテンツの視聴者に対する視覚的効果を与えるべく、点滅させながら、コンテンツ素材を画面上に表示してもよい。
【００２９】
変形しながら画面上に表示されるコンテンツ素材は、透明度が異なる複数の画像を含んでいるコンテンツ素材であってもよい。この場合、携帯電話１２０は、透明度が異なる複数の画像を順次切り替えて表示することで、画像コンテンツの視聴者に対する視覚的効果を与えるべく、透明度を変化させながら、コンテンツ素材を画面上に表示してもよい。
【００３０】
変形しながら画面上に表示されるコンテンツ素材は、一の画像および異なる複数の透明度を含んでいるコンテンツ素材であってもよい。この場合、携帯電話１２０は、一の画像を異なる複数の透明度を用いて順次透明度を変化させて表示することで、画像コンテンツの視聴者に対する視覚的効果を与えるべく、透明度を変化させながら、コンテンツ素材を画面上に表示してもよい。
【００３１】
コンテンツ配信サーバ１００は、上記異なる複数の透明度を予め記憶部２８０に記憶しておいてもよい。コンテンツ配信サーバ１００は、コンテンツ素材ごとに、コンテンツ素材と上記異なる複数の透明度とを予め対応付けて記憶部２８０に記憶しておいてもよい。コンテンツ配信サーバ１００は、記憶部２８０に記憶しておく上記異なる複数の透明度を、コンテンツ素材を作成した外部の情報処理装置から受信してもよい。
【００３２】
変形しながら画面上に表示されるコンテンツ素材は、輝度が異なる複数の画像を含んでいるコンテンツ素材であってもよい。この場合、携帯電話１２０は、輝度が異なる複数の画像を順次切り替えて表示することで、画像コンテンツの視聴者に対する視覚的効果を与えるべく、輝度を変化させながら、コンテンツ素材を画面上に表示してもよい。
【００３３】
変形しながら画面上に表示されるコンテンツ素材は、一の画像および異なる複数の輝度を含んでいるコンテンツ素材であってもよい。この場合、携帯電話１２０は、一の画像を異なる複数の輝度を用いて順次輝度を変化させて表示することで、画像コンテンツの視聴者に対する視覚的効果を与えるべく、輝度を変化させながら、コンテンツ素材を画面上に表示してもよい。
【００３４】
コンテンツ配信サーバ１００は、上記異なる複数の輝度を予め記憶部２８０に記憶しておいてもよい。コンテンツ配信サーバ１００は、コンテンツ素材ごとに、コンテンツ素材と上記異なる複数の輝度とを予め対応付けて記憶部２８０に記憶しておいてもよい。コンテンツ配信サーバ１００は、記憶部２８０に記憶しておく上記異なる複数の輝度を、コンテンツ素材を作成した外部の情報処理装置から受信してもよい。
【００３５】
変形しながら画面上に表示されるコンテンツ素材は、拡縮しながら画面上に表示されるコンテンツ素材であってもよい。たとえば、拡大率が異なる複数の画像を含んでいるコンテンツ素材であってもよい。この場合、携帯電話１２０は、拡大率が異なる複数の画像を順次切り替えて表示することで、画像コンテンツの視聴者に対する視覚的効果を与えるべく、拡縮させながら、コンテンツ素材を画面上に表示してもよい。
【００３６】
変形しながら画面上に表示されるコンテンツ素材は、一の画像および異なる複数の拡大率を含んでいるコンテンツ素材をであってもよい。この場合、携帯電話１２０は、一の画像を異なる複数の拡大率を用いて順次拡縮させて表示することで、画像コンテンツの視聴者に対する視覚的効果を与えるべく、拡縮させながら、コンテンツ素材を画面上に表示してもよい。
【００３７】
コンテンツ配信サーバ１００は、上記異なる複数の拡大率を予め記憶部２８０に記憶しておいてもよい。コンテンツ配信サーバ１００は、コンテンツ素材ごとに、コンテンツ素材と上記異なる複数の拡大率とを予め対応付けて記憶部２８０に記憶しておいてもよい。コンテンツ配信サーバ１００は、記憶部２８０に記憶しておく上記異なる複数の拡大率を、コンテンツ素材を作成した外部の情報処理装置から受信してもよい。
【００３８】
変形しながら画面上に表示されるコンテンツ素材は、鋭角な突起部を有するコンテンツ素材であってもよい。特に、突起部を伸縮させながら画面上に表示されるコンテンツ素材であってもよい。たとえば、突起部の伸縮率が異なる複数の画像を含んでいるコンテンツ素材であってもよい。この場合、携帯電話１２０は、突起部の伸縮率が異なる複数の画像を順次切り替えて表示することで、画像コンテンツの視聴者に対する視覚的効果を与えるべく、鋭角な突起部を伸縮させながら、コンテンツ素材を画面上に表示してもよい。
【００３９】
変形しながら画面上に表示されるコンテンツ素材は、一の画像および異なる伸縮率を含んでいるコンテンツ素材であってもよい。この場合、携帯電話１２０は、一の画像の突起部を異なる複数の伸縮率を用いて順次伸縮させて表示することで、画像コンテンツの視聴者に対する視覚的効果を与えるべく、突起部を伸縮させながら、コンテンツ素材を画面上に表示してもよい。
【００４０】
コンテンツ配信サーバ１００は、上記異なる複数の伸縮率を予め記憶部２８０に記憶しておいてもよい。コンテンツ配信サーバ１００は、コンテンツ素材ごとに、コンテンツ素材と上記異なる複数の伸縮率とを予め対応付けて記憶部２８０に記憶しておいてもよい。コンテンツ配信サーバ１００は、記憶部２８０に記憶しておく上記異なる複数の伸縮率を、コンテンツ素材を作成した外部の情報処理装置から受信してもよい。
【００４１】
変形しながら画面上に表示されるコンテンツ素材は、コンテンツ作成ソフトを利用して、画像コンテンツのレイアウト上に、当該コンテンツ素材のファイルを配置する定義をおこなうだけで、変形しながら表示されるコンテンツ素材であってもよい。さらに、変形しながら画面上に表示されるコンテンツ素材は、単独のファイルとしてコンピュータ上での管理（たとえば、ＯＳ上での管理、コンテンツ作成ソフト上での管理）が可能なコンテンツ素材であってもよい。たとえば、変形しながら画面上に表示されるコンテンツ素材は、これらの要件を満たす、ＦＬＡＳＨ（登録商標）、ＧＩＦアニメーションなどのコンテンツ素材であってもよい。
【００４２】
図３は、コンテンツ配信サーバ１００による処理のフローの一例を示す。コンテンツ受信部２０２は、コンテンツおよびコンテンツ素材を受信可能な状態で待機しており、コンテンツ受信部２０２が、コンテンツを受信した場合（Ｓ３０２：Ｙｅｓ）、コンテンツ登録部２０４が、Ｓ３０２で受信されたコンテンツ素材を記憶部２８０に登録する（Ｓ３０４）。そして、コンテンツ配信サーバ１００は、処理をＳ３０２へ戻す。
【００４３】
コンテンツ受信部２０２が、コンテンツを受信せずに（Ｓ３０２：Ｎｏ）、コンテンツ素材を受信した場合（Ｓ３０６：Ｙｅｓ）、コンテンツ登録部２０４が、Ｓ３０６で受信されたコンテンツ素材を記憶部２８０に登録する（Ｓ３０８）。そして、コンテンツ配信サーバ１００は、処理をＳ３０２へ戻す。コンテンツ受信部２０２が、コンテンツを受信しない場合（Ｓ３０６：Ｎｏ）、コンテンツ配信サーバ１００は、処理をＳ３１０へ進める。
【００４４】
配信要求受信部２０６は、コンテンツの配信要求およびコンテンツ素材の配信要求を受信可能な状態で待機しており、配信要求受信部２０６が、コンテンツの配信要求を受信した場合（Ｓ３１０：Ｙｅｓ）、コンテンツ取得部２０８が、Ｓ３１０で受信されたコンテンツの配信要求に基づいて、配信が要求されたコンテンツを、記憶部２８０から取得する（Ｓ３１２）。そして、コンテンツ配信部２１０が、Ｓ３１２で記憶部２８０から取得されたコンテンツを配信する（Ｓ３１４）。さらに、コンテンツ配信サーバ１００は、処理をＳ３０２へ戻す。
【００４５】
配信要求受信部２０６が、コンテンツの配信要求を受信せずに（Ｓ３１０：Ｎｏ）、コンテンツ素材の配信要求を受信した場合（Ｓ３１６：Ｙｅｓ）、コンテンツ取得部２０８が、Ｓ３１６で受信されたコンテンツ素材の配信要求に基づいて、配信が要求されたコンテンツ素材を、記憶部２８０から取得する（Ｓ３１８）。そして、コンテンツ配信部２１０が、Ｓ３１８で記憶部２８０から取得されたコンテンツ素材を配信する（Ｓ３２０）。さらに、コンテンツ配信サーバ１００は、処理をＳ３０２へ戻す。
【００４６】
図４は、コンテンツ配信サーバ１００が配信するコンテンツ素材の一例を示す。コンテンツ素材４００は、複数の突起部を有する星型のコンテンツ素材である。コンテンツ素材４００は、拡縮率が異なる画像４１０および画像４２０を含む。たとえば、コンテンツ素材４００を受信した携帯電話１２０は、画像４１０および画像４２０を順次切り替えて表示することにより、コンテンツ素材４００を拡縮させながら画面上に表示する。なお、コンテンツ配信サーバ１００は、拡縮率が異なる３つ以上の画像を含むコンテンツ素材４００を携帯電話１２０へ配信してもよい。この場合、携帯電話１２０は、コンテンツ素材４００を段階的に拡縮させながら画面上に表示してもよい。
【００４７】
図５は、コンテンツ配信サーバ１００が配信するコンテンツ素材の他の一例を示す。コンテンツ素材５００は、複数の突起部を有する星型のコンテンツ素材である。コンテンツ素材５００は、コンテンツ素材が表示される表示画像５１０と、コンテンツ素材が表示されない非表示画像５２０とを含む。たとえば、コンテンツ素材５００を受信した携帯電話１２０は、画像５１０および画像５２０を順次切り替えて表示することにより、コンテンツ素材５００を点滅させながら画面上に表示する。なお、コンテンツ配信サーバ１００は、透明度が異なる３つ以上の画像を含むコンテンツ素材５００を携帯電話１２０へ配信してもよい。この場合、携帯電話１２０は、コンテンツ素材５００の透明度を段階的に変化させながら、コンテンツ素材５００を画面上に表示してもよい。
【００４８】
図６は、コンテンツ配信サーバ１００が配信するコンテンツ素材の他の一例を示す。コンテンツ素材６００は、複数の突起部を有する星型のコンテンツ素材である。コンテンツ素材６００は、突起部の拡縮率が異なる画像６１０および画像６２０を含む。たとえば、コンテンツ素材６００を受信した携帯電話１２０は、画像６１０および画像６２０を順次切り替えて表示することにより、コンテンツ素材６００の突起部を伸縮させながら画面上に表示する。なお、コンテンツ配信サーバ１００は、突起部の伸縮率が異なる３つ以上の画像を含むコンテンツ素材６００を携帯電話１２０へ配信してもよい。この場合、携帯電話１２０は、コンテンツ素材６００の突起部の伸縮率を段階的に変化させながら、コンテンツ素材６００を画面上に表示してもよい。
【００４９】
図７は、携帯電話１２０の画面上に表示されたコンテンツ素材の一例を示す。携帯電話１２０の画面上には、携帯電話１２０によって作成された画像コンテンツ７００が表示されている。画像コンテンツ７００は、背景画像７１０およびコンテンツ素材４００を含む。コンテンツ素材４００は、画像４１０および画像４２０を含む。コンテンツ素材４００は、背景画像７１０上に重畳されて配置されている。たとえば、携帯電話１２０は、図７に示すように、画像コンテンツ７００において、画像４１０および画像４２０を順次切り替えて表示する。これにより、携帯電話１２０は、画像コンテンツ７００において、コンテンツ素材４００を拡縮させながら表示する。
【００５０】
図８は、携帯電話１２０の画面上に表示されたコンテンツ素材の他の一例を示す。携帯電話１２０の画面上には、携帯電話１２０によって作成された画像コンテンツ８００が表示されている。画像コンテンツ８００は、背景画像７１０およびコンテンツ素材５００を含む。コンテンツ素材５００は、画像５１０および画像５２０を含む。コンテンツ素材５００は、背景画像７１０上に重畳されて配置されている。たとえば、携帯電話１２０は、図８に示すように、画像コンテンツ７００において、画像５１０および画像５２０を順次切り替えて表示する。これにより、携帯電話１２０は、画像コンテンツ８００において、コンテンツ素材５００を点滅させながら表示する。
【００５１】
図９は、携帯電話１２０の画面上に表示されたコンテンツ素材の他の一例を示す。携帯電話１２０の画面上には、携帯電話１２０によって作成された画像コンテンツ９００が表示されている。画像コンテンツ９００は、背景画像７１０およびコンテンツ素材６００を含む。コンテンツ素材６００は、画像６１０および画像６２０を含む。コンテンツ素材６００は、背景画像７１０上に重畳されて配置されている。たとえば、携帯電話１２０は、図９に示すように、画像コンテンツ７００において、画像６１０および画像６２０を順次切り替えて表示する。これにより、携帯電話１２０は、画像コンテンツ９００において、コンテンツ素材６００の突起部を伸縮させながら、コンテンツ素材６００を表示する。
【００５２】
以上、本実施形態のコンテンツ配信サーバ１００によれば、変形しながら携帯電話１２０の画面上に表示されるコンテンツ素材を、携帯電話１２０へ配信する。これにより、たとえば、携帯電話１２０のユーザは、コンテンツ配信サーバ１００からダウンロードしたコンテンツ素材を画像コンテンツ上に配置することで、視覚的効果を高めるべくコンテンツ素材が変形しながら表示される画像コンテンツを作成することができる。したがって、本実施形態のコンテンツ配信サーバ１００によれば、視覚的効果の高い画像コンテンツを、携帯電話１２０のユーザに容易に作成させることができる。
【００５３】
図１０は、コンテンツ配信サーバ１００のハードウェア構成の一例を示す。コンテンツ配信サーバ１００は、ホスト・コントローラ１５８２により相互に接続されるＣＰＵ１５０５、ＲＡＭ１５２０、グラフィック・コントローラ１５７５、および表示デバイス１５８０を備える。また、コンテンツ配信サーバ１００は、Ｉ／Ｏ（入出力）コントローラ１５８４によりホスト・コントローラ１５８２に接続される通信Ｉ／Ｆ１５３０、ＲＯＭ１５１０、ハードディスクドライブ１５４０、および外部メモリドライブ１５６０を備える。
【００５４】
ＣＰＵ１５０５は、ＲＯＭ１５１０、ＲＡＭ１５２０、またはハードディスクドライブ１５４０に格納されたプログラムに基づいて動作して、コンテンツ配信サーバ１００が備える各ハードウェアを制御する。グラフィック・コントローラ１５７５は、ＲＡＭ１５２０等から取得した画像データを、表示デバイス１５８０上に表示させる。
【００５５】
Ｉ／Ｏ（入出力）コントローラ１５８４は、マウス、キーボードなどの入出力デバイスをさらに接続する。通信Ｉ／Ｆ１５３０は、ネットワークを介して外部から受け取ったプログラムまたはデータを、ＲＯＭ１５１０、ＲＡＭ１５２０、またはハードディスクドライブ１５４０に提供する。ＲＯＭ１５１０は、コンテンツ配信サーバ１００の起動時にＣＰＵ１５０５が実行するブート・プログラム、コンテンツ配信サーバ１００のハードウェアに依存するプログラム等を格納する。
【００５６】
ハードディスクドライブ１５４０は、ＣＰＵ１５０５が使用するプログラムおよびデータを格納する。外部メモリドライブ１５６０は、外部メモリ１５９５から読み取ったプログラムまたはデータを、ＲＯＭ１５１０、ＲＡＭ１５２０、またはハードディスクドライブ１５４０に提供する。
【００５７】
ＣＰＵ１５０５は、ＲＯＭ１５１０、ＲＡＭ１５２０、またはハードディスクドライブ１５４０に格納されているプログラムを実行することにより、コンテンツ配信サーバ１００を、コンテンツ受信部２０２、コンテンツ登録部２０４、配信要求受信部２０６、コンテンツ取得部２０８、およびコンテンツ配信部２１０として機能させる。ＣＰＵ１５０５により実行されるプログラムは、外部メモリ１５９５等の記録媒体に格納されて提供されてもよく、外部の情報処理装置からネットワークを介して提供されてもよい。
【００５８】
なお、記憶部２８０は、コンテンツ配信サーバ１００が備える、ＲＯＭ１５１０、ＲＡＭ１５２０、ハードディスクドライブ１５４０、外部メモリ１５９５のいずれかによって実現されてもよい。また、通信Ｉ／Ｆ部２９０は、コンテンツ配信サーバ１００が備える、通信Ｉ／Ｆ１５３０によって実現されてもよい。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００６１】
【図１】実施形態に係るコンテンツ配信システム１０の一例を示す。
【図２】コンテンツ配信サーバ１００の機能構成の一例を示す。
【図３】コンテンツ配信サーバ１００による処理のフローの一例を示す。
【図４】コンテンツ配信サーバ１００が配信するコンテンツ素材の一例を示す。
【図５】コンテンツ配信サーバ１００が配信するコンテンツ素材の他の一例を示す。
【図６】コンテンツ配信サーバ１００が配信するコンテンツ素材の他の一例を示す。
【図７】携帯電話１２０の画面上に表示されたコンテンツ素材の一例を示す。
【図８】携帯電話１２０の画面上に表示されたコンテンツ素材の他の一例を示す。
【図９】携帯電話１２０の画面上に表示されたコンテンツ素材の他の一例を示す。
【図１０】コンテンツ配信サーバ１００のハードウェア構成の一例を示す。
【符号の説明】
【００６２】
１０  コンテンツ配信システム
１００  コンテンツ配信サーバ
１２０  携帯電話
１３０  ネットワーク
２０２  コンテンツ受信部
２０４  コンテンツ登録部
２０６  配信要求受信部
２０８  コンテンツ取得部
２１０  コンテンツ配信部
２８０  記憶部
２９０  通信Ｉ／Ｆ部
４００  コンテンツ素材
４１０  画像
４２０  画像
５００  コンテンツ素材
５１０  画像
５２０  画像
６００  コンテンツ素材
６１０  画像
６２０  画像
７００  画像コンテンツ
７１０  背景画像
８００  画像コンテンツ
９００  画像コンテンツ
１５０５  ＣＰＵ
１５１０  ＲＯＭ
１５２０  ＲＡＭ
１５３０  通信Ｉ／Ｆ
１５４０  ハードディスクドライブ
１５６０  外部メモリドライブ
１５７５  グラフィック・コントローラ
１５８０  表示デバイス
１５８２  ホスト・コントローラ
１５８４  Ｉ／Ｏコントローラ
１５９５  外部メモリ
【図１】
2010231446.tif 000003
【図２】
2010231446.tif 000004
【図３】
2010231446.tif 000005
【図４】
2010231446.tif 000006
【図５】
2010231446.tif 000007
【図６】
2010231446.tif 000008
【図７】
2010231446.tif 000009
【図８】
2010231446.tif 000010
【図９】
2010231446.tif 000011
【図１０】
2010231446.tif 000012